(57)【要約】【課題】  各部数毎にステープルの枚数が同じになるようにした記録装置を提供する。【解決手段】  複数枚の原稿を各部数毎にステープルを施してコピーを行う場合、まず１部目の１枚目のプリントを行い（ＳＴ４）、その枚数をカウントし（ＳＴ５）、１部目かどうか判定する（ＳＴ６）。１部目であるとき、ＳＴ４〜ＳＴ８の処理を繰り返し、コピーを続ける。画像記録済み用紙の束の厚みが一度にステープル可能な厚みを越えると、ステープルを行い（ＳＴ１４）、そのときの枚数をメモリに記憶し（ＳＴ１５）、２部目のコピーを続ける（ＳＴ４〜ＳＴ６，ＳＴ１０）。２部目のコピー枚数が記憶枚数に達すると（ＳＴ１０）、ステープルを行い（ＳＴ１１）、枚数カウンタをリセットする（ＳＴ１２）。３部目以降があるときは（ＳＴ１３）、同様にコピーを続け、無いときは処理を終了する。【選択図】      図３
2005189422.tif 000002
【特許請求の範囲】
【請求項１】
原稿の画像を読み取る画像読取部と、読み取った原稿の画像を用紙に記録する画像記録部と、画像記録済み用紙を堆積して当該用紙の束にステープルを施すステープル部と、ステープル機能を設定したときに画像記録済み用紙をステープル部に送るように制御する制御部とを備える記録装置において、
前記制御部は、ステープル機能を設定して画像記録を開始したとき、前記ステープル部に堆積された画像記録済み用紙の束が一度にステープル可能な厚みを越えた場合、その画像記録済み用紙の束にステープルを施すとともに、そのときの束における画像記録済み用紙の枚数を記憶し、以降はステープル部に堆積された画像記録済み用紙が前記記憶枚数に達するたびにステープルを施すように制御することを特徴とする記録装置。
【発明の詳細な説明】
【技術分野】
【０００１】
この発明は、画像記録済み用紙を束ねた状態でステープルする機能を有する記録装置に関する。
【背景技術】
【０００２】
ステープル機能を有する記録装置においては、一度にステープル可能な画像記録済み用紙の束の厚みが限られるため、画像記録済み用紙の束の厚みがセンサなどで検知され、画像記録済み用紙の束の厚みがステープル不能の厚みになった時点で、それまでに堆積された画像記録済み用紙の束にステープルを施すようにしている。この場合、１部のコピーが２つのステープルで分けられることになる。
【０００３】
しかしながら、センサで画像記録済み用紙の束の厚みを検知しているため、２部目以降も同じ枚数でステープルが施されるとは限らない。すなわち、用紙は厳密には紙質によって１枚の厚みが異なる上に、そのときの湿度・温度などの条件や用紙のカール度合によって、同じ厚さの束であっても用紙の枚数は多少相違する。このため、例えば一度にステープル可能な枚数が６０枚であったとすると、１部目は６０枚でステープルが施されたとしても、２部目は６１枚や５９枚で、或いは６１枚よりも多い枚数や５９枚よりも少ない枚数でステープルが施されることがある。各部数でステープルの枚数が異なるのは好ましくなく、各部数毎に同じ枚数でステープルするのが好ましい。
【０００４】
そのような状況で、シート搬送路中に配設されてシートの１枚当たりの厚さを計測するシート単厚計測手段と、このシート単厚計測手段による計測値を基にステイプラの綴じ能力に応じたステイプル可能なシートの枚数を算出する第一の算出手段と、シート整合トレイ上のシートの厚さを計測するシート束厚計測手段と、このシート束厚計測手段による計測値を基にステイプル可能なシートの枚数を補正する第二の算出手段と、算出されたステイプル可能なシートの枚数毎にステイプラを作動させるモードを選択する選択手段とを備えたシート後処理装置がある（例えば、特許文献１参照）。
【特許文献１】特開平４−１１８２９５号公報
【発明の開示】
【発明が解決しようとする課題】
【０００５】
上記特許文献１記載の装置では、最初に１枚当たりのシートの厚さを基準にしてステイプル可能なシートの枚数が算出されるが、その後、搬送されるシートの厚さが変化したりカールした場合、シート整合トレイ上のシートの束の厚さが計測されてステイプル可能なシートの枚数が補正されることで、ステイプルミスを防止するようにしている。
【０００６】
しかしながら、シートの厚さが変化したりカールしたりするたびに、ステイプル可能なシートの枚数が補正されるので、記録中にステイプル可能なシートの枚数が変更されるときがあり、或る部数目と別の部数目でステープルの枚数が異なる場合が生じる恐れがある。これは、各部数毎に同じ枚数でステープルすることからすると好ましくない。
【０００７】
この発明は、そのような問題点に着目してなされたもので、各部数毎にステープルの枚数が同じになるようにした記録装置を提供することを目的とする。
【課題を解決するための手段】
【０００８】
前記目的を達成するために、本発明の記録装置は、原稿の画像を読み取る画像読取部と、読み取った原稿の画像を用紙に記録する画像記録部と、画像記録済み用紙を堆積して当該用紙の束にステープルを施すステープル部と、ステープル機能を設定したときに画像記録済み用紙をステープル部に送るように制御する制御部とを備えるものにおいて、制御部は、ステープル機能を設定して画像記録を開始したとき、ステープル部に堆積された画像記録済み用紙の束が一度にステープル可能な厚みを越えた場合、その画像記録済み用紙の束にステープルを施すとともに、そのときの束における画像記録済み用紙の枚数を記憶し、以降はステープル部に堆積された画像記録済み用紙が記憶枚数に達するたびにステープルを施すように制御することを特徴とする。
【発明の効果】
【０００９】
本発明によれば、最初（１部目）に画像記録済み用紙の束が一度にステープル可能な厚みを越えたときにステープルを施すとともに、そのときの束におけるステープルの枚数を記憶しておき、２部目以降は画像記録済み用紙が記憶枚数に達するたびにステープルを施すので、各部数毎にステープルの枚数が同じになり、全部数を通じて統一したコピーが可能になる。
【発明を実施するための最良の形態】
【００１０】
以下、実施の形態により、この発明を更に詳細に説明する。
【００１１】
その実施形態に係る記録装置としてのファクシミリ装置の概略模式図を図１に示す。このファクシミリ装置１は、ファクシミリ機能とコピー機能を併有する複合機として構成したものであり、装置本体２の上部一端側に原稿自動給紙装置（ＡＤＦ）３が設けられるとともに、読み取る原稿をセットするための原稿供給トレイ６及び読み取り後の原稿を排出するための原稿排出トレイ７が設けられている。また、ＡＤＦ３及びトレイ６，７は一体的に前側を開閉可能に後側で装置本体２にヒンジ連結されており、ＡＤＦ３及びトレイ６，７の下側にフラットベッドスキャナ（ＦＢＳ）４が配備されている。但し、これら各部は、従来の装置と機能的に差異は無いので、詳細は省略する。
【００１２】
このファクシミリ装置１の装置本体２内部には、画像記録済み用紙を堆積して当該堆積用紙の束にステープルを施すステープル部３０が配備され、そのステープル部３０において、画像記録済み用紙を堆積するステープル処理トレイ３１が配置されている。装置本体２の側部には、画像記録済み用紙を排出する排紙トレイ３２が配置されている。ステープル処理トレイ３１上には、当該トレイ３１上に堆積した画像記録済み用紙の束にステープルを施すステープラ３７が配置されている。なお、画像記録部からの画像記録済み用紙をステープル処理トレイ３１に排出するための排出ローラ３５と、ステープル処理トレイ３１の画像記録済み用紙を排紙トレイ３２に排出するための排出ローラ３６とが設けられている。
【００１３】
このファクシミリ装置１の構成例を図２にブロック図で示す。このファクシミリ装置１は、主制御部（ＣＰＵ）１１と、ＮＣＵ１２と、ＭＯＤＥＭ１３と、ＲＯＭ１４と、ＲＡＭ１５と、画像メモリ１６と、音声データメモリ１７と、音声出力部１８と、表示部１９と、操作部２０と、画像読取部２１と、画像記録部２２と、ＣＯＤＥＣ２３と、ＬＡＮ  Ｉ／Ｆ２４と、バス２５と、ステープル部制御部２８とを備えている。
【００１４】
主制御部１１は、ＲＯＭ１４に記憶されたプログラムに従い、この装置１を構成する各部を制御する。また、主制御部１１は、ステープル機能を設定して画像記録を開始したとき、ステープル部３０のステープル処理トレイ３１に堆積された画像記録済み用紙の束が一度にステープル可能な厚みを越えた場合、その画像記録済み用紙の束にステープラ３７によりステープルを施すとともに、そのときの束における画像記録済み用紙の枚数を記憶し、以降はステープル処理トレイ３１に堆積された画像記録済み用紙が記憶枚数に達するたびにステープルを施すように制御する。
【００１５】
ＮＣＵ１２は、電話回線２６との接続を制御するとともに、相手先の電話番号（対応したダイヤル信号）を送出するための機能、及び着信を検出するための機能を備えている。また、ＮＣＵ１２は、ダイヤルトーン、ＣＮＧ（コーリングトーン）信号等を電話回線２６より受信する。ＭＯＤＥＭ１３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。
【００１６】
ＲＯＭ１４は、装置全体を制御するためのプログラムを記憶する。ＲＡＭ１５は、装置１に関する各種情報を一時的に記憶する。また、ＲＡＭ１５は、ステープル部３０でステープルが行われたときの画像記録済み用紙の枚数を記憶する枚数メモリ１５ａを有する。画像メモリ１６は、受信画像データや画像読取部２１で読み取られた画像データを一時的に記憶する。
【００１７】
音声データメモリ１７は、各種音声ガイダンスとしての音声データを記憶する。音声データは、例えばステープル機能の設定時に「一度にステープルできませんので、一旦ステープルを行います」であり、この他に、「用紙カセットに用紙を補給してください」、「トナーを補充してください」、「原稿を取り除いてください」、「記録紙ジャムを取り除いてください」、「紙詰まりです」、…である。音声出力部１８は、その音声データメモリ１７に記憶された音声ガイダンスをスピーカなどにより出力する。表示部１９は、装置の動作状態等の各種情報、転送時間帯等の表示を行う。操作部２０は、テンキー、ワンタッチキー、スタートキー、その他のキーで構成される。
【００１８】
画像読取部２１は、原稿上の画像データを読み取って、イメージデータを出力する。画像記録部２２は、電子写真式のプリンタよりなり、受信画像データや、コピー動作において画像読取部２１で読み取られた原稿の画像データを用紙上に記録する。ＣＯＤＥＣ２３は、送信すべき画像データを符号化し、また受信した画像データを復号する。ＬＡＮ  Ｉ／Ｆ２４は、ＬＡＮ２７を介して外部機器と各種データの送受信を行う。
【００１９】
ステープル部制御部２８は、上記装置本体２内部に設けられたステープル部３０の動作を制御し、具体的にはステープラ３７によるステープル処理トレイ３１の画像記録済み用紙の束へのステープル処理や、排出ローラ３５，３６の駆動などを制御する。
【００２０】
次に、この装置におけるコピー時のステープル動作について図３のフロー図を参照して説明する。なお、ＲＡＭ１５の枚数メモリ１５ａや枚数カウンタは最初に初期値０に設定されている。また、一度にステープル可能な画像記録済み用紙の束の厚みは予め設定されている。
【００２１】
まず、ステップＳＴ１において、コピーが複数枚コピーかどうか判定し、そうでないとき（１枚コピーのとき）は、ステップＳＴ９において、通常のコピーを行う。複数枚（２枚以上）のコピーのときは、ステップＳＴ２において、複数部コピーかどうか判定し、そうでないとき（１部のみのコピーのとき）は、ステップＳＴ９において、通常のコピーを行う。複数部（２部以上）のコピーのときは、ステップＳＴ３において、ステープルを行うのか否か判定し、行わないなら、ステップＳＴ９において、通常のコピーを行う。
【００２２】
ステープルを行う場合は、すなわちこの例では、複数枚の原稿のコピーを各部数毎にステープルを施して行う場合、ステップＳＴ４において、まず１枚目のプリントを行うとともに、ステップＳＴ５において、そのプリント枚数をカウントする。つまり、枚数カウンタの値を１インクリメントする。次いで、ステップＳＴ６において、そのコピーが１部目かどうか判定する。最初は１部目であるので、その判定がＹＥＳとなり、ステップＳＴ７において、ステープル処理トレイ３１に堆積された画像記録済み用紙の束が一度にステープル可能な厚みを越えたか否か判定する。この判定は１部目の１枚目のコピーのときはＮＯとなるので、ステップＳＴ８において、コピーが終了したかどうか判定する。一部目の１枚目のときはＮＯであるので、ステップＳＴ４に戻り、ステップＳＴ４〜ＳＴ８を繰り返すことで、２枚目以降のプリントを続ける。
【００２３】
ここで、ステップＳＴ８において、仮にステープル処理トレイ３１に堆積された画像記録済み用紙の束が一度にステープル可能な厚みを越えないうちに、コピーが終了すると、ステップＳＴ１４に移行する。ステップＳＴ１４においては、ステープル処理トレイ３１に堆積された画像記録済み用紙の束にステープルを施して、１部目の用紙束とし、更にステップＳＴ１５において、そのときの束における用紙の枚数をＲＡＭ１５の枚数メモリ１５ａに記憶する。そして、ステップＳＴ４に戻り、続いて２部目の１枚目のプリントを行う。
【００２４】
一方、ステップＳＴ７において、１部目のコピーで、ステープル処理トレイ３１に堆積された画像記録済み用紙の束が一度にステープル可能な厚みを越えたときは、ステップＳＴ１４に移行し、これまでに溜まったステープル処理トレイ３１の画像記録済み用紙の束にステープルを施し、１部目の用紙束とし、ステップＳＴ１５において、そのときの束における用紙の枚数をＲＡＭ１５の枚数メモリ１５ａに記憶する。そして、ステップＳＴ４に戻り、２部目の１枚目のプリントを行う。
【００２５】
２部目のコピーにおいては、ステップＳＴ４において、１枚目のプリントを行い、ステップＳＴ５において、そのプリント枚数をカウントする。ステップＳＴ６において、コピーが１部目かどうか判定する。今回は２部目になるので、その判定がＮＯになり、ステップＳＴ１０に移行する。ステップＳＴ１０においては、枚数カウンタの値がＲＡＭ１５の枚数メモリ１５ａに記憶した１部目の枚数（ステープル枚数）に達したかどうか判定する。この判定がＮＯのときは、ステップＳＴ４に戻り、ステップＳＴ４〜ＳＴ６，ＳＴ１０を繰り返し、２枚目以降のプリントを続ける。
【００２６】
プリントを続けるうちに、ステップＳＴ１０において、枚数カウンタの値が枚数メモリ１５ａに記憶した１部目の枚数に達すると、ステップＳＴ１１において、ステープル処理トレイ３１に溜まった画像記録済み用紙の束にステープルを施し、２部目の用紙束とし、更にステップＳＴ１２において、枚数カンウタをリセット（０）にする。続いて、ステップＳＴ１３において、コピーが終了したか判定し、終了したら（この場合は２部のコピーで終了）当該処理を終了し、まだの場合（３部目以降のコピーがある場合）は、ステップＳＴ４に戻り、３部目以降のプリントを同様に続ける。
【００２７】
このように、最初（１部目）に画像記録済み用紙の束が一度にステープル可能な厚みを越えたときにステープルを施すとともに、そのときの束におけるステープルの枚数を記憶しておき、２部目以降は画像記録済み用紙が記憶枚数に達するたびにステープルを施すので、各部数毎にステープルの枚数が同じになり、全部数を通じて統一したコピーが可能になる。
【図面の簡単な説明】
【００２８】
【図１】実施形態に係る記録装置としてのファクシミリ装置（ファクシミリ機能とコピー機能を併有する複合機）の概略模式図である。
【図２】同ファクシミリ装置の構成例を示すブロック図である。
【図３】同ファクシミリ装置におけるコピー時のステープル動作を示すフロー図である。
【符号の説明】
【００２９】
１        ファクシミリ装置（記録装置）
２        装置本体
３        ＡＤＦ（原稿自動給紙装置）
４        ＦＢＳ（フラットベッドスキャナ）
６        原稿供給トレイ
７        原稿排出トレイ
１１      主制御部
１５      ＲＡＭ
１５ａ    枚数メモリ
２１      画像読取部
２２      画像記録部
２８      ステープル部制御部
３０      ステープル部
３１      ステープル処理トレイ
３２      排紙トレイ
３７      ステープラ
【図１】
2005189422.tif 000003
【図２】
2005189422.tif 000004
【図３】
2005189422.tif 000005